(57)【要約】【課題】医療用プローブを提供すること。【解決手段】医療用プローブは、患者身体内に挿入するための挿入チューブと、挿入チューブの遠位端に取り付けられた少なくともアームと、アームに結合された少なくとも基準電極と、アームに結合され、基準電極を取り囲み、患者身体内の電気信号を検出するように構成されている複数の電極であって、基準電極に対して相対的に測定された場合に、患者身体内の解剖学的信号を示す、複数の電極と、を含む。【選択図】図１
2020108773.tif 000002
【特許請求の範囲】
【請求項１】
患者身体内へ挿入するための挿入チューブと、
前記挿入チューブの遠位端に取り付けられた少なくともアームと、
前記アームに結合され、内部組織に接触するように構成された少なくとも基準電極と、
前記アームに結合され、解剖学的信号を検出するように前記基準電極を取り囲む複数の電極であって、前記解剖学的信号は、前記基準電極に対して相対的に測定された場合に、前記患者身体内の前記解剖学的信号の大きさ及び方向を示す、複数の電極と、を備える医療用プローブ。
【請求項２】
前記電極は前記基準電極の周りに不均一な形状で配置されている、請求項１に記載のプローブ。
【請求項３】
前記解剖学的信号は、心電図（ＥＣＧ）信号を含む、請求項１に記載のプローブ。
【請求項４】
前記電極のうちの１つ以上に電気的に接続され、前記電気信号を前記患者身体の外部にあるシステムに伝達するように構成されている、電気導体を備える、請求項１に記載のプローブ。
【請求項５】
前記電極のうちの１つ以上に電気的に接続され、前記電気信号を前記患者身体の外部にあるシステムに伝達するように構成されている、１つ以上の無線通信デバイスを備える、請求項１に記載のプローブ。
【請求項６】
前記アームは、フレキシブルプリント回路基板（ＰＣＢ）を含む、請求項１に記載のプローブ。
【請求項７】
前記電気信号は、前記解剖学的信号の方向を示す、請求項１に記載のプローブ。
【請求項８】
前記電気信号は、前記解剖学的信号の伝搬速度を示す、請求項１に記載のプローブ。
【請求項９】
方法であって、
医療用プローブから電気信号を受信することであって、前記医療用プローブは、（ａ）挿入チューブの遠位端に取り付けられた少なくともアームと、（ｂ）前記アームに結合された少なくとも基準電極と、（ｃ）前記アームに結合され、前記基準電極を取り囲んで、身体組織内の解剖学的信号を検出する複数の電極とを含み、
前記電気信号は、前記基準電極に対して相対的に測定された場合に、患者身体の前記身体組織内の解剖学的信号の方向を示す、ことと、
前記電気信号に基づいて、前記解剖学的信号の方向及び伝搬速度のうちの少なくとも１つを推定することと、を含む方法。
【請求項１０】
前記電極は前記基準電極の周りに不均一な形状で配置されている、請求項９に記載の方法。
【請求項１１】
前記解剖学的信号は、心電図（ＥＣＧ）信号を含む、請求項９に記載の方法。
【請求項１２】
医療用プローブを製造する方法であって、
挿入チューブの遠位端に少なくともアームを取り付けることと、
前記アームに少なくとも基準電極を結合させることと、
不均一な形状に配置され、かつ前記基準電極を取り囲む複数の電極を前記アームに結合させることと、を含む、方法。
【請求項１３】
前記基準電極及び前記複数の電極を、電気導体を介して前記患者身体の外部にあるシステムに接続することを含む、請求項１２に記載の方法。
【請求項１４】
前記基準電極及び前記複数の電極を、前記アームに結合された１つ以上の無線通信デバイスに接続することを含む、請求項１２に記載の方法。
【請求項１５】
前記アームは、フレキシブルプリント回路基板（ＰＣＢ）を含む、請求項１２に記載の方法。
【請求項１６】
基準電極と、
医療用プローブであって、
患者身体内へ挿入するための挿入チューブ、
前記挿入チューブの遠位端に取り付けられた少なくともアーム、及び、
前記アームに結合され、前記患者身体内の電気信号を検出するように構成されている複数の電極であって、前記電気信号は、前記基準電極に対して相対的に測定された場合に、前記患者身体内の解剖学的信号を示す、複数の電極、を備える医療用プローブと、
前記電気信号に基づいて、前記解剖学的信号の方向及び伝搬速度のうちの少なくとも１つを推定するように構成されたプロセッサと、
を備える、システム。
【請求項１７】
前記基準電極は、前記患者身体の皮膚に結合された身体表面電極を備える、請求項１６に記載のシステム。
【請求項１８】
前記基準電極は、基準信号を有する仮想電極を備え、前記プロセッサは、前記患者身体の皮膚に結合された少なくとも２つの身体表面電極から受信された追加電気信号に基づいて、前記基準信号を計算するように構成されている、請求項１６に記載のシステム。
【請求項１９】
前記プロセッサは、前記身体表面電極のうちの少なくとも２つの前記追加電気信号を平均化することによって、前記基準信号を計算するように構成されている、請求項１８に記載のシステム。
【請求項２０】
前記基準電極は前記アームに結合され、前記複数の電極は前記基準電極を取り囲んでいる、請求項１６に記載のシステム。
【発明の詳細な説明】
【技術分野】
【０００１】
本発明は、一般に医療用デバイスに関し、具体的には患者身体内において解剖学的信号をマッピングする方法及びシステムに関する。
【背景技術】
【０００２】
心電図（ＥＣＧ）信号などの解剖学的信号を測定するための様々な方法が当該技術分野において既知である。
【０００３】
例えば、米国特許出願公開第２００９／０２２１８９７号は、ヒト又は動物の身体の表面における電気的変数を測定するためのセンサについて記載している。センサは、幾何学的に規則的な配置の３つ以上の電極と、電極を一緒に保持するように配置された支持部材とを備える。
【０００４】
米国特許出願公開第２０１０／００１０５８３号は、センサの座標系における患者の姿勢分類の手法について記載している。患者に対して実質的に固定された形態で設けられたセンサから画定されたベクトルが取得され、画定されたベクトルはセンサの座標系で記述され、センサが患者に対して設けられている向きには関係しない。検出されたベクトルはセンサの座標系を使用して記述され、センサから取得される。検出されたベクトル及び画定されたベクトルは、センサが患者に対して設けられている向きに関係なく、患者の姿勢状態を分類するために使用される。
【発明の概要】
【課題を解決するための手段】
【０００５】
本明細書に記載される本発明の一実施形態は、患者身体内に挿入するための挿入チューブと、挿入チューブの遠位端に取り付けられた少なくともアームと、アームに結合された少なくとも基準電極と、アームに結合され、基準電極を取り囲む複数の電極であって、基準電極に対して相対的に測定された場合に、患者身体内の解剖学的信号を示す、身体組織の電気信号を検出するように構成されている、複数の電極と、を含む医療用プローブを提供する。
【０００６】
いくつかの実施形態では、電極は基準電極の周りに不均一な形状で配置されている。他の実施形態では、解剖学的信号は、心電図（ＥＣＧ）信号を含む。更に他の実施形態では、医療用プローブは電気導体を含み、電気導体は、電極のうちの１つ以上に電気的に接続され、電気信号を患者身体の外部にあるシステムに伝達するように構成されている。
【０００７】
一実施形態では、医療用プローブは１つ以上の無線通信デバイスを含み、無線通信デバイスは、電極のうちの１つ以上に電気的に接続されており、電気信号を患者身体の外部にあるシステムに伝達するように構成されている。別の実施形態では、アームは、フレキシブルプリント回路基板（ＰＣＢ）を含む。
【０００８】
いくつかの実施形態では、電気信号は解剖学的信号の方向を示す。他の実施形態では、電気信号は解剖学的信号の伝搬速度を示す。
【０００９】
本発明の一実施形態によると、医療用プローブから電気信号を受信することを含む方法が付加的に提供され、医療用プローブは、（ａ）挿入チューブの遠位端に取り付けられた少なくともアームと、（ｂ）アームに結合された少なくとも基準電極と、（ｃ）アームに結合され、基準電極を取り囲み、電気信号を生成する複数の電極とを含む。電気信号は、基準電極に対して相対的に測定された場合に、患者身体内の解剖学的信号の方向を示す。電気信号に基づいて、解剖学的信号の方向及び伝搬速度のうちの少なくとも１つが推定される。
【００１０】
本発明の一実施形態によると、医療用プローブを製造する方法が付加的に提供され、この方法は、挿入チューブの遠位端に少なくともアームを取り付けることを含む。アームには少なくとも基準電極が結合されている。不均一な形状に配置され、かつ基準電極を取り囲む複数の電極がアームに結合されている。
【００１１】
本発明の一実施形態によると、基準電極と、患者身体内に挿入するための挿入チューブを含む医療用プローブと、挿入チューブの遠位端に取り付けられた少なくともアームと、アームに結合され、患者身体内の電気信号を検出するように構成されている複数の電極であって、電気信号は、基準電極に対して相対的に測定された場合に、患者身体内の解剖学的信号を示す、複数の電極と、を含むシステムが更に提供される。システムは、電気信号に基づいて、解剖学的信号の方向及び伝搬速度のうちの少なくとも１つを推定するように構成されたプロセッサを更に含む。
【００１２】
いくつかの実施形態では、基準電極は、患者身体の皮膚に結合された身体表面電極を含む。他の実施形態では、基準電極は、基準信号を有する仮想電極を含み、プロセッサは、患者身体の皮膚に結合された少なくとも２つの身体表面電極から受信された追加電気信号に基づいて、基準信号を計算するように構成されている。
【００１３】
一実施形態では、基準信号は、身体表面電極のうちの少なくとも２つの追加電気信号を平均化することによって計算される。別の実施形態では、基準電極はアームに結合され、複数の電極が基準電極を取り囲んでいる。
【００１４】
本発明は、以下の「発明を実施するための形態」を図面と併せて考慮することで、より完全に理解されよう。
【図面の簡単な説明】
【００１５】
【図１】本発明の一実施形態による、カテーテル追跡システムの概略的描画図である。
【図２】本発明の実施形態による、患者の心臓内の解剖学的信号の波面の方向及び伝搬速度を測定するために使用できる電極アセンブリのいくつかの構成の概略的描画図である。
【図３Ａ】本発明の実施形態による、患者の心臓内の解剖学的信号の波面の方向及び伝搬速度を測定するために使用できる電極アセンブリのいくつかの構成の概略的描画図である。
【図３Ｂ】本発明の実施形態による、患者の心臓内の解剖学的信号の波面の方向及び伝搬速度を測定するために使用できる電極アセンブリのいくつかの構成の概略的描画図である。
【図３Ｃ】本発明の実施形態による、患者の心臓内の解剖学的信号の波面の方向及び伝搬速度を測定するために使用できる電極アセンブリのいくつかの構成の概略的描画図である。
【発明を実施するための形態】
【００１６】
概論
以下に記載される本発明の実施形態は、心電図（ＥＣＧ）信号などの患者身体内の解剖学的信号によって引き起こされる波面の方向及び伝搬速度を推定するための改善された方法及びシステムを提供する。いくつかの実施形態では、ＥＣＧ信号によって引き起こされる波面の方向及び伝搬速度を推定するシステムは、挿入チューブに結合された遠位端アセンブリを有する低侵襲プローブと、プロセッサとを備える。遠位端アセンブリは、アームとも称される複数のスパインを備え、各スパインは、フレキシブルプリント回路基板（ＰＣＢ）から作製されたストリップを備える。
【００１７】
いくつかの実施形態では、各スパインは、患者組織に面する回路基板の側に結合された複数の電極アセンブリを備え、ＰＣＢは、電極アセンブリと、プローブを通って患者身体の外部にあるシステムに至る導電要素、例えばトレース又は配線との間に電気的接続性を提供する導体を備える。
【００１８】
いくつかの実施形態では、各電極アセンブリは、不均一な形状に配置された複数の電極を備える。電極は、電極アセンブリの別の電極に対して相対的に測定された場合に、患者の心臓内のＥＣＧ信号の方向及び倍率を示す、身体組織の電気信号を検出するように構成されている。
【００１９】
いくつかの実施形態では、電極のうちの少なくとも１つは基準電極を備え、アセンブリの他の電極は、基準電極を取り囲み、均一又は不均一な形状で配置されていてもよい。
【００２０】
いくつかの実施形態では、プローブは、典型的には、（例えば、シースを使用して）折り畳まれた位置において患者身体内に挿入され、患者の心臓腔などの標的位置に到達した時点で伸張される。伸張された位置では、スパインは体腔の形状に適合するように伸張され、それにより、スパインに結合された電極が内部体腔表面の組織と接触し、検出されたＥＣＧ信号を示す電気信号を生成する。これら電気信号はプロセッサに提供される。
【００２１】
いくつかの実施形態では、電極アセンブリは、電極を多極構成で配置することにより形成される複数の双極子を備える。多極配置は、患者の心臓内の任意の方向におけるＥＣＧ信号を検出するように構成されている。
【００２２】
いくつかの実施形態では、プロセッサは、電気信号に基づいて、ＥＣＧ信号の方向及び伝搬速度を推定するように構成されている。プロセッサは、ＥＣＧ信号によって生成された電界を伝播する波面の方向及び速度を推定するように、あらゆる双極子のベクトル成分を計算すること、並びに双極子間のベクトル加算及び／又はベクトル減算を計算することなど、様々な方法を使用するように構成されている。
【００２３】
開示される技術は、不整脈及び他の心臓病を診断及び治療するための、患者の心臓におけるＥＣＧマッピングの精度及び感度を改善する。その上、開示される技術はまた、患者器官内の他の解剖学的信号の正確なマッピングのために使用されてもよい。
【００２４】
システムの説明
図１は、本発明の一実施形態による、カテーテル追跡システム２０の概略絵画図である。システム２０は、本実施例では心カテーテル２２であるプローブと、制御コンソール２４と、を含む。本明細書に記載する実施形態では、カテーテル２２は、例えば、心不整脈などの心機能障害を診断するための心電信号のマッピング、及び／又は、例えば、上述のマッピングに基づく、心臓２６内の組織のアブレーションなど、任意の好適な治療及び／又は診断目的に使用されてもよい。
【００２５】
コンソール２４は、カテーテル２２から信号を受信するための、及び本明細書に記載のシステム２０の他の構成要素を制御するための好適なフロントエンド回路及びインタフェース回路を有する、典型的には汎用コンピュータの汎用プロセッサであるプロセッサ３９を備える。プロセッサ３９は、システムによって使用される機能を実行するようにソフトウェア内にプログラムされてもよく、プロセッサはソフトウェア用のデータをメモリ３８内に格納する。このソフトウェアは、例えば、ネットワークを介して電子的形態でコンソール２４にダウンロードされてもよく、又は光学的記憶媒体、磁気的記憶媒体、若しくは電子的記憶媒体などの、非一時的な有形媒体で提供されてもよい。代替として、プロセッサ３９の機能の一部又は全ては、専用の構成要素又はプログラマブルデジタルハードウェア構成要素によって実行されてもよい。
【００２６】
オペレータ３０（介入する心臓専門医など）は、テーブル２９に横たわる患者２８の脈管系を通して、カテーテル２２を挿入する。カテーテル２２は、挿入チューブ（図示せず）と、本明細書では「スプライン」又は「アーム」とも称される複数のスパインを備える遠位端アセンブリ４０（挿入図５２に示され、以下で詳細に記載される）を備える。オペレータ３０は、図１の挿入図３７に示すように、カテーテルの近位端付近にあるマニピュレータ３２を用いてカテーテル２２を操作することによって、カテーテル２２のアセンブリ４０を心臓２６の標的領域の近傍で動かす。カテーテル２２の近位端は、プロセッサ３９のインタフェース回路に接続されて、プロセッサ３９と電気信号を交換する。
【００２７】
心臓腔内における遠位端アセンブリの位置は、一般的に、カテーテル追跡システム２０の磁気位置検知によって測定される。この場合、コンソール２４は駆動回路３４を備え、この駆動回路３４は、テーブル２９に横たわる患者２８の体外における既知の位置、例えば患者の胴体の下に位置する磁界発生器３６を駆動する。
【００２８】
遠位端アセンブリ４０は典型的には、それぞれが１つ以上の磁界センサ及び／又は１つ以上のアブレーション若しくはマッピング電極を備える複数のスパイン、並びに／又は、他のデバイスを備える（例えば、以下の挿入図５２、並びに図２、図３Ａ、図３Ｂ及び図３Ｃに示すように）。遠位端アセンブリを心内組織、例えば、心臓内面と接触させた場合、マッピング電極は、検出された電位に応答して、本明細書では電気信号とも称される電位勾配信号を発生させる。
【００２９】
いくつかの実施形態では、位置センサは、検出された外部磁場に応答して位置信号を発生させ、それにより、プロセッサ３９が心臓腔内の位置の関数として電位をマッピングすることが可能になる。いくつかの実施形態では、以下の図２で詳細に記載されるように、検出された電気信号は、心臓２６内の心電図（ＥＣＧ）信号などの解剖学的信号によって引き起こされる波面の方向及び伝搬速度を示す。
【００３０】
アセンブリ４０内の複数の磁気位置センサ及びマッピング電極は、カテーテル近位端においてプロセッサ３９のインタフェース回路に接続されている。オペレータ３０は、ユーザディスプレイ３１上の心臓２６の画像３３で、アセンブリ４０の位置を見ることができる。
【００３１】
この位置検出方法は、例えば、Ｂｉｏｓｅｎｓｅ  Ｗｅｂｓｔｅｒ  Ｉｎｃ．（Ｉｒｖｉｎｅ，Ｃａｌｉｆ．）が製造するＣＡＲＴＯ（商標）システムにおいて実現されており、米国特許第５，３９１，１９９号、同第６，６９０，９６３号、同第６，４８４，１１８号、同第６，２３９，７２４号、同第６，６１８，６１２号及び同第６，３３２，０８９号、国際公開第９６／０５７６８号、並びに米国特許出願公開第２００２／００６５４５５（Ａ１）号、同第２００３／０１２０１５０（Ａ１）号及び同第２００４／００６８１７８（Ａ１）号に詳細に記載されており、それらの開示は全てが参照により本明細書に組み込まれる。
【００３２】
他の実施形態では、磁気位置センサの代わりに、遠位端アセンブリ４０は、高度電流局在化（ＡＣＬ：advanced current localization）センサ、又は任意の他の好適な位置センサなどの１つ以上のインピーダンス位置センサを備えてもよく、システム２０は、それぞれの位置追跡モジュールを備えてもよい。代替的実施形態では、システム２０は、いかなる位置追跡モジュールも備えず、遠位端アセンブリ４０は、いかなる位置追跡センサも備えない。
【００３３】
患者の心臓内のＥＣＧ信号を検出するためのバスケットカテーテル
ここで挿入図５２を参照する。いくつかの実施形態では、各スパイン４２は、遠位端アセンブリ４０の遠位先端部に位置するキャップ４４に結合される。いくつかの実施形態では、カテーテル２２はシャフト４６を更に備え、シャフト４６は、アセンブリ４０の折り畳まれた位置と伸張された位置との間の移行に使用される。例えば、カテーテル２２を心臓２６内に挿入した後に、シャフト４６は、遠位端アセンブリ４０をシース（図示せず）から引き出して、アセンブリ４０を伸張された位置に至らせるように構成されている。同様に、医療処置を完了した後、典型的にはカテーテル２２を患者身体から後退させる前に、シャフト４６は、遠位端アセンブリ４０をシースの中に後退させて折り畳まれた位置にするように構成されている。
【００３４】
いくつかの実施形態では、複数の電極アセンブリ５０が、フレキシブルプリント回路基板（ＰＣＢ）４８の外面上に形成されているので、遠位端アセンブリ４０の伸張位置では、電極アセンブリ５０は心臓２６の組織と接触する。センサなどの他の構成要素は、類似の方法でスパインに結合されてもよい。
【００３５】
いくつかの実施形態では、電気回路トレース（図示せず）が、スパイン４２のＰＣＢ４８内に形成され、各トレースは、各電極アセンブリ５０の少なくとも１つの電極に接続されている。いくつかの実施形態では、電気回路トレースは、カテーテル２２を通って延びる好適な配線又は他の種類の電気導体に接続されて、コンソール２４と電極アセンブリ５０との間で信号を交換する。
【００３６】
ここで挿入図５４を参照する。いくつかの実施形態では、各電極アセンブリ５０は、少なくとも３つの電極を備える。挿入図５４の例では、アセンブリ５０は、スパイン５２に結合された基準電極と、やはり対応するスパインに結合され基準電極を取り囲む３つの電極とを備え、３つの電極は、基準電極に対して相対的に測定された場合に、心臓２６内のＥＣＧ信号によって引き起こされる、前述した波面の方向及び伝搬速度を示す、身体組織の電気信号を検出するように構成されている。電極アセンブリ５０の構造及び動作に関する追加の実施形態は、以下の図２、図３Ａ、図３Ｂ、及び図３Ｃに詳細に記載されている。加えて又は代替として、電極アセンブリ５０の電極は、患者身体内を移動する任意の他の解剖学的信号の方向及び速度を示す電気信号を検出するように構成されている。
【００３７】
他の実施形態では、遠位端アセンブリ４０は、電極アセンブリ５０の電極のうちの１つ以上に電気的に接続された１つ以上の無線通信デバイス（図示せず）を備えてもよい。１つ以上の無線通信デバイスは、電気信号をコンソール２４に、又は患者身体の外部にある任意の他のシステムに伝達するように構成されている。
【００３８】
患者の心臓内で伝搬するＥＣＧ信号の速度及び方向の検出
図２は、本発明の一実施形態による、心臓２６内のＥＣＧ信号によって引き起こされる波面の方向及び伝搬速度を測定するように構成された電極アセンブリ３００の概略描画図である。電極アセンブリ３００は、例えば、上記の図１の電極アセンブリ５０を置き換えてもよく、ＥＣＧ信号又は患者２８の身体内の任意の他の信号を検出するように構成されている。
【００３９】
いくつかの実施形態では、電極アセンブリ３００は、スパイン４２のＰＣＢ４８に結合された又は埋設された、３つの電極３０１、３０２及び３０３、並びに基準電極３０４を備える。電極３０１〜３０３は、基準電極３０４を取り囲み、基準電極３０４の周りに均一な又は不均一な形状で配置されていてもよい。
【００４０】
一実施形態では、電極３０１、３０２、３０３、及び３０４は、それぞれの重心（ＣＯＧ）が「Ａ」、「Ｂ」、「Ｃ」、及び「Ｄ」と示され、基準電極３０４と電極３０１、３０２、及び３０３の各々との間の３つの双極子として配置され、それぞれ、ベクトルＤＡ、ＤＢ、及びＤＣとして示されている。この構成では、ベクトルＤＡは、基準電極３０４と電極３０２との間の双極子を示し、ベクトルＤＢは、基準電極３０４と電極３０１との間の双極子を示し、ベクトルＤＣは、基準電極３０４と電極３０３との間の双極子を示す。
【００４１】
心臓２６の３つのそれぞれのＥＣＧ信号によって引き起こされる波面の３つの例が図２に示され、本明細書では波面「１」、「２」、及び「３」と称される。波面「１」、「２」、及び「３」の伝搬は、心臓２６の組織に沿った電界を伝播し、典型的には、これらの例示的な波面のうちの１つのみが一度に存在することが理解されるであろう。
【００４２】
ある時間間隔において、所与の双極子の電極によって検出される電圧の変化は、波面伝搬速度を示すことに留意されたい。２つ以上の双極子からの情報を組み合わせたものは、波面伝搬方向の決定を可能にし、この方向は例えばデカルト座標系で定義される。
【００４３】
図２の例では、基準電極３０４のＣＯＧは、電極アセンブリ３００のＣＯＧ（図示せず）と整列される。加えて、電極３０１〜３０３は類似した形状を共有し、その形状は基準電極３０４の形状とは異なる。いくつかの実施形態では、電極３０１〜３０３の形状は、基準電極３０４の周りの円周方向の有効範囲を最大化させる一方で、更に各双極子が、等しい表面積の２つの電極から構成されるように表面積を合致させるように選択されてもよい。
【００４４】
いくつかの実施形態では、電極３０１〜３０４は、規則的又は非規則的であってもよい任意の好適な幾何学的構造で配置されてもよい。用語「非規則的」及び「不規則」は、電極３０１、３０２、３０３、及び３０４のＣＯＧが同じ幾何学的平面上に存在しない構造を指し得る。上述のように、非規則的な幾何学的配置により、波面「１」、「２」、若しくは「３」の方向、又は任意の他の方向など任意の方向に移動する波面を検出することが可能になる。
【００４５】
いくつかの実施形態では、プロセッサ３９は、心臓２６内のＥＣＧ信号によって引き起こされた波面の方向及び速度を示す、電極３０１〜３０４によって生成された電気信号（例えば、基準電極３０４に対する各電極３０１〜３０３の電圧）を受信するように構成されている。
【００４６】
いくつかの実施形態では、波面「１」に応答して、波面「１」に実質的に平行であって逆方向を向いたベクトルＤＢによって表される双極子は、第１の時間、ｔ１、において、全ての双極子の中でも、最も大きな負の電圧値を検出する。ベクトルＤＡ及びＤＣによって表される双極子は、その後の第２の時間、ｔ２、において、正の電圧値を検出することになる。
【００４７】
例示的な実施形態では、波面「２」に応答して、ベクトルＤＢによって表される双極子は、第１の時間、ｔ１、において、負の電圧値を検出することになる。ベクトルＤＡによって表される双極子は、その後の第２の時間ｔ１＋δにおいて、同様の負の電圧値を検出することになる。最後に、波面「２」に実質的に平行であるベクトルＤＣによって表される双極子は、その後の第３の時間、ｔ２、において、正の電圧値を検出することになる。ベクトルＤＢによって表される双極子及びベクトルＤＡによって表される双極子が、最初に電圧変化（δ）を検出した時間の間のタイミング差を使用して、波面の方向「２」を決定することができる。例えば、δの値がより大きい場合は、波面「１」により近い波面に対応し、δがゼロの場合は、ベクトルＤＣに対して逆平行な波面に対応し、δの値が負の場合は、ベクトルＤＡに逆平行であることに、より近い波面に対応するであろう。
【００４８】
一実施形態では、波面「３」に応答して、ベクトルＤＣによって表される双極子は、第１の時間ｔ１において、負の電圧値を検出することになる。波面「３」に実質的に直交するベクトルＤＣによって表される双極子は、その後の第２の時間、ｔ２、において、負の電圧値を検出することになる。続いて、第３の時間、ｔ３、において、ベクトルＤＡによって表される双極子は、正の電圧値を検出することになる。
【００４９】
いくつかの実施形態では、これら電気信号に基づいて、プロセッサ３９は、心臓２６内のＥＣＧ信号によって引き起こされる波面の方向及び速度を推定するように構成されている。検出された電圧値の変化は波面の速度を示し、前述の双極子のうちの２つ以上からの信号の組み合わせに基づいて、プロセッサ３９は、心臓２６のＥＣＧ信号によって引き起こされた波面の方向及び速度を計算してもよい。
【００５０】
他の実施形態では、電極３０１、３０２、３０３、及び３０４は、任意の他の好適な種類の非規則的な幾何学的配置を有してもよい。例えば、電極３０１、３０２、及び３０３のうちの少なくとも２つは、互いに異なる固有の幾何学的形状及び／又はサイズ及び／又は幾何学的方向を有してもよい。加えて又は代替として、前述の双極子のＣＯＧ間の距離は互いに異なっていてもよい。図２の例では、ベクトルＤＡ及びＤＢは、例えば、異なるそれぞれの長さを有してもよい。
【００５１】
他の実施形態では、電極アセンブリ３００は、任意の好適な不規則な幾何学的構造に配置された任意の他の好適な数の電極を備えてもよい。これら実施形態では、電極アセンブリは、任意の好適な対称形状又は非対称形状を有してもよい。例えば、電極アセンブリの形状は、丸くなくてもよく、又は更には円形でなくてもよい。所定方向におけるＥＣＧ信号を検出するように電極アセンブリの感度を増加させるために、上述の非規則的な配置のうちの少なくとも１つを使用してもよいことに留意されたい。
【００５２】
いくつかの実施形態では、プロセッサ３９は、前述のような非規則的な構造を有する電極アセンブリの各々の較正データ（例えば、ファイル内に格納された）を保持してもよい。プロセッサ３９は、較正データに基づき、波面の方向及び伝搬速度の計算において、形状の不規則性を補正するように構成される。
【００５３】
図３Ａは、本発明の別の実施形態による、心臓２６内の解剖学的信号によって引き起こされる波面の方向及び伝搬速度を測定するように構成された電極アセンブリ２００の概略描画図である。電極アセンブリ２００は、例えば、上記の図１の電極アセンブリ５０を置き換えてもよく、ＥＣＧ信号又は患者２８の身体内の任意の他の信号によって引き起こされた波面を検出するように構成されている。
【００５４】
いくつかの実施形態では、電極アセンブリ２００は、スパイン４２のＰＣＢ４８に結合された又は埋設された、３つの電極２０１、２０２及び２０３、並びに基準電極２０４を備える。電極２０１〜２０３は、基準電極２０４を取り囲み、基準電極２０４の周りに均一又は不均一な形状で配置されていてもよい。上記図２に記載されるように、電極２０１、２０２、及び２０３、並びに基準電極２０４は、３つの双極子として、すなわち、基準電極２０４と電極２０１との間の第１の双極子、基準電極２０４と電極２０２との間の第２の双極子、及び基準電極２０４と電極２０３との間の第３の双極子として配置されている。図３Ａの例では、基準電極２０４のＣＯＧは、電極アセンブリ２００（図示せず）のＣＯＧと整列され、電極２０１〜２０４の形状及び表面積は同様である。
【００５５】
本発明との関連では、及び特許請求の範囲では、用語「不均一な」「非規則的な」及び「非周期的な」は交換可能に用いられ、上記の図２に、図３Ａ、図３Ｂ、及び図３Ｃに記載される幾何学的配置のいずれか、並びに／又は、基準電極２０４のＣＯＧが電極２０１〜２０３の中の任意の対の電極間を接続する直線上に位置しない幾何学的構造を指す。
【００５６】
その上、丸形電極アセンブリの一例では、電極アセンブリ２００の構成とは対照的に、基準電極のＣＯＧは電極アセンブリのＣＯＧと整合していなくてもよい。加えて又は代替として、電極２０１〜２０４のうちの少なくとも１つが、他の電極と比較して異なるサイズ、形状、及び／又は表面積を有してもよく、例えば、電極２０４が電極２０１〜２０３よりも大きくてもよい。
【００５７】
いくつかの実施形態では、電極２０１〜２０３は、基準電極２０４に対して相対的に測定された場合に、上記の図２に記載されるように、心臓２６内のＥＣＧ信号によって引き起こされる波面の方向及び速度を示す、身体組織の電気信号を検出するように構成されている。
【００５８】
いくつかの実施形態では、電極２０１〜２０３、及び２０４は、上記の図１及び図２に記載されるように、カテーテル２２の電気トレース及び配線を介して、又は無線デバイスを介して、プロセッサ３９に電気的に接続されている。
【００５９】
いくつかの実施形態では、プロセッサ３９は、前述の電極アセンブリ２００の双極子によって生成された電気信号を受信し、電気信号に基づいて、心臓２６内を伝搬する波面の方向及び速度を推定するように構成されている。
【００６０】
いくつかの実施形態では、プロセッサ３９は、電極２０１〜２０３の各々によって測定された電圧を基準電極２０４に対して比較する。比較に基づいて、プロセッサ３９は、ＥＣＧ信号によって引き起こされた伝搬波面の方向及び速度を推定してもよい。例えば、電極２０１と２０２との間を接続する仮想線（図示せず）に直交する波面「１」に応答して、電圧変化は、最初に、電極２０１及び２０４を備える双極子によって、並びに電極２０２及び２０４を備える双極子によって、その後、電極２０３及び２０４を備える双極子によって検出される。上記の図２に記載されるように、これらの検出された電圧のタイミング及び値に基づいて、プロセッサ３９は、心臓２６内のＥＣＧ信号によって引き起こされる波面「１」の方向及び伝搬速度を推定してもよい。波面の方向及び速度の推定又は決定を可能にする技術は、「ＴＥＣＨＮＩＱＵＥＳ  ＦＯＲ  ＡＵＴＯＭＡＴＥＤ  ＬＯＣＡＬ  ＡＣＴＩＶＡＴＩＯＮ  ＴＩＭＥ  ＡＮＮＯＴＡＴＩＯＮ  ＡＮＤ  ＣＯＮＤＵＣＴＩＯＮ  ＶＥＬＯＣＩＴＹ  ＥＳＴＩＭＡＴＩＯＮ  ＩＮ  ＣＡＲＤＩＡＣ  ＭＡＰＰＩＮＧ」と題する、Ｃ．Ｄ．Ｃａｎｔｗｅｌｌａ，Ｃ．Ｈ．Ｒｏｎｅｙ，Ｆ．Ｓ．Ｎｇ，Ｊ．Ｈ．Ｓｉｇｇｅｒｓ，Ｓ．Ｊ．Ｓｈｅｒｗｉｎａ，Ｎ．Ｓ．Ｐｅｔｅｒｓが、Ｂｉｏｌｏｇｙ  ａｎｄ  Ｍｅｄｉｃｉｎｅ，Ａｐｒｉｌ  ２０１５に発行した文献の５〜１０ページ、とりわけ７ページに掲載されており、この文献は参照として組み込まれ、その複写が本明細書に付属書類として添付されている。
【００６１】
図３Ｂは、本発明の別の実施形態による、心臓２６内を伝搬する波面の方向及び伝搬速度を測定するように構成された電極アセンブリ１００の概略描画図である。電極アセンブリ１００は、例えば、上記図１の電極アセンブリ５０を置き換えてもよい。
【００６２】
いくつかの実施形態では、電極アセンブリ１００は３つの電極１０２、１０４、及び１０６を備え、その各々の形状は楔形であり、他の２つの電極から既定距離だけ離れて置かれている。いくつかの実施形態では、電極１０２、１０４、及び１０６は、電極アセンブリ１００が丸い形状を有するように幾何学的に配置されている。
【００６３】
いくつかの実施形態では、電極１０２、１０４、及び１０６は、（図１に記載されるように）スパイン４２のＰＣＢ４８に結合され、上記の図１に記載されるように、上述の電気トレース及び配線を介して、又は無線デバイスを介してプロセッサ３９に電気的に接続されている。
【００６４】
いくつかの実施形態では、電極アセンブリ１００は３つの電極を備え、上記の図２及び図３Ａの、それぞれの電極アセンブリ３００及び２００とは異なり、基準電極を備えていない。
【００６５】
一実施形態では、それぞれのＣＯＧが「Ａ」、「Ｂ」、及び「Ｃ」と示されている電極１０２、１０４、及び１０６は、これら電極の間の各対、Ａ−Ｂ、Ａ−Ｃ、及びＢ−Ｃの３つの双極子として配置されている。いくつかの実施形態では、前述の波面「１」、「２」、又は「３」などの任意の波面に応答して、ベクトル「ＡＢ」は、電極１０２及び１０４を備える双極子Ａ−Ｂによって検出された電圧を示す。同様に、ベクトル「ＢＣ」は、電極１０４及び１０６を備える双極子Ｂ−Ｃによって検出された電圧を示し、ベクトル「ＡＣ」は、電極１０２及び１０６を備える双極子Ａ−Ｃによって検出された電圧を示す。
【００６６】
いくつかの実施形態では、ベクトルＡＢに直交する波面「１」に応答して、電極１０２及び１０４は同じ信号を検出し、したがって、ベクトルＡＢによって表される双極子によって、第１の時間、ｔ１、において検出される電圧はおよそゼロである。続いて、ベクトルＡＣ及びＢＣによって表される他の２つの双極子は、その後の時間、ｔ２、において同様の（例えば、正の）電圧値を検出する。いくつかの実施形態では、プロセッサ３９は、双極子Ａ−Ｂ、Ａ−Ｃ、及びＢ−Ｃによって検出されたタイミング及び電圧に基づいて、波面「１」の方向及び速度を推定するように構成されている。
【００６７】
例示的な実施形態では、波面「２」に応答して、波面「２」にほぼ平行であって同じ方向を有するベクトルＡＣによって表される双極子は、第１の時間、ｔ１、において正の電圧値を検出し、波面「２」にほぼ直交するベクトルＢＣによって表される双極子は、その後の第２の時間、ｔ２、において正の電圧値を検出することになる。
【００６８】
別の例示的な実施形態では、波面「３」に応答して、波面「３」に実質的に平行であって反対方向を向いたベクトルＡＢによって表される双極子は、時間ｔ１において負の電圧値を検出することになる。上述の実施形態及び定義に基づいて、ベクトルＢＣによって表される双極子は、時間ｔ１において正の電圧値を検出することになる。続いて、その後の第３の時間、ｔ３、において、ベクトルＡＣによって表される双極子は、負の電圧値を検出することになる。
【００６９】
いくつかの実施形態では、プロセッサ３９は、上記の図２に記載されるような、３つの双極子から受信された検出された電圧のタイミングに基づいて、任意の波面の方向及び速度を推定するように構成されている。波面の方向及び速度の推定は、ベクトル加算、ベクトル減算、又はその両方を使用して実行されてもよい。代替として、方向及び速度を推定するための任意の他の好適な計算方法を使用することができる。
【００７０】
いくつかの実施形態では、電極１０２、１０４及び１０６は、規則的又は非規則的あってもよい任意の好適な幾何学的構造で配置されてもよい。用語「非規則的」及び「不規則」は、電極１０２、１０４及び１０６のＣＯＧが同じ幾何学的平面上に存在しない構造を指し得る。上述のように、非規則的な幾何学的配置、波面「１」、「２」、若しくは「３」の方向、又は任意の他の方向など任意の方向に移動する波面を検出することが可能になる。
【００７１】
他の実施形態では、電極１０２、１０４、及び１０６は、任意の他の好適な種類の非規則的な幾何学的配置を有してもよい。例えば、電極１０２、１０４、及び１０６のうちの少なくとも２つは、互いに異なる固有の幾何学的形状及び／又はサイズ及び／又は幾何学的方向を有してもよい。加えて又は代替として、前述の双極子のＣＯＧ間の距離は互いに異なっていてもよい。図３Ｂの例では、ベクトルＡＢ及びＢＣは、例えば、異なるそれぞれの長さを有してもよい。
【００７２】
図３Ｂの実施例では、電極１０２、１０４、及び１０６の各々は、電極アセンブリ１００の丸い形状の総面積のほぼ３分の１を含む領域を覆っている。別の実施形態では、２つの電極（例えば、電極１０２及び１０４）は各々が電極アセンブリ１００の領域のほぼ４０％を覆ってもよく、第３の電極（例えば、電極１０６）は、電極アセンブリ１００の領域のほぼ２０％を覆ってもよい。「ほぼ」という用語は、電極アセンブリ１００の領域の割当てを含む電極１０２、１０４、及び１０６の中の任意の対の電極間の空間ゆえに使用されることに留意されたい。
【００７３】
他の実施形態では、電極アセンブリは、任意の好適な不規則な幾何学的構造に配置された任意の他の好適な数の電極を備えてもよい。これら実施形態では、電極アセンブリは、任意の好適な対称形状又は非対称形状を有してもよい。例えば、電極アセンブリ１００の形状は、丸くなくてもよく、又は更には円形でなくてもよい。所定方向におけるＥＣＧ信号を検出するように電極アセンブリの感度を増加させるために、上述の非規則的な配置のうちの少なくとも１つを使用してもよいことに留意されたい。
【００７４】
いくつかの実施形態では、プロセッサ３９は、前述のような非規則的な構造を有する電極アセンブリの各々の較正データ（例えば、ファイル内に格納された）を保持してもよい。プロセッサ３９は、較正データに基づき、ＥＣＧ信号によって、又は患者２８の任意の他の信号によって引き起こされた波面の方向及び伝搬速度の計算において、形状の不規則性を補正するように構成される。
【００７５】
図３Ｃは、本発明の一実施形態による、心臓２６内のＥＣＧ信号によって引き起こされる波面の方向及び伝搬速度を測定するように構成された電極アセンブリ４００の概略描画図である。電極アセンブリ４００は、例えば、上記の図１の電極アセンブリ５０を置き換えてもよく、上述のＥＣＧ信号又は患者２８の身体内の任意の他の信号を検出するように構成されている。
【００７６】
いくつかの実施形態では、電極アセンブリ４００は、スパイン４２のＰＣＢ４８に結合された又は埋設された、３つの電極４０１、４０２及び４０３を備える。電極４０１〜４０３は、例えば、上記の図３Ｂに記載されるように、均一又は不均一な幾何学的形状で配置されていてもよい。
【００７７】
いくつかの実施形態では、プロセッサ３９は、心臓２６内のＥＣＧ信号によって引き起こされる波面の方向及び伝搬速度を示す電気信号を電極４０１〜４０３から受信するように構成されている。いくつかの実施形態では、電気信号は基準電極を基準にして測定されてもよく、基準電極は、本明細書では、共通電極、例えば仮想電極とも称され、図３Ｃには示されていない。
【００７８】
いくつかの実施形態では、仮想電極は、パッチ又は任意の他の好適な結合技術を使用して、患者２８の皮膚に結合された２つ以上の身体表面電極から計算されてもよい。仮想電極のこのような例の１つは、ウィルソン結合電極（ＷＣＴ）である。
【００７９】
代替的実施形態では、双極子は、２つ以上の物理的電極、例えば電極４０１〜４０３のいずれかと、仮想電極との間に形成されてもよい。
【００８０】
いくつかの実施形態では、これら電気信号、及び、例えば上記の図２で説明された技術に基づいて、プロセッサ３９は、心臓２６内のＥＣＧ信号によって引き起こされる波面（例えば、上記の図２の波面「１」）の方向及び速度を推定するように構成されている。
【００８１】
代替実施形態では、電極４０１〜４０３は、３つの双極子（図示せず）として、すなわち、電極４０１と電極４０２との間の第１の双極子、電極４０２と４０３との間の第２の双極子、及び電極４０３と４０１との間の第３の双極子として配置されてもよい。これら双極子の各々は、上記の図３Ｂに記載されている技術を使用して、検出された電圧値を示す、身体組織の電気信号を検出するように構成されている。
【００８２】
電極アセンブリ５０、１００、２００、３００、及び４００の構成は、例示的なプローブ、又はこれら電極アセンブリのいずれかが内部に組み込まれて使用され得る別のデバイスを実現するために、例として提供されている。代替として、例えば、任意の好適な数の電極及び／又は基準電極を、それらの間に任意の好適な距離を設けて使用し、異なる形状及びサイズの電極アセンブリ、並びに、それぞれの電極アセンブリ内の異なる形状及びサイズの個々の電極又は電極群を適用して、任意の他の好適な構成を使用することもできる。更には、各電極は、任意の種類の結合手法を使用して、プロセッサ又はコントローラなどの任意の好適な種類のデバイスに結合されてもよく、電極によって検出された信号は、任意の好適な通信手法を使用してデバイスに伝達されてもよい。
【００８３】
本明細書に記載される実施形態は、主として、患者の心臓内の解剖学的信号の方向及び伝搬速度を検出することに対処するが、本明細書に記載される方法及びシステムはまた、患者の任意の他の臓器内での又は患者の皮膚上での解剖学的信号の方向及び伝搬速度を検出するなどの他の用途にも使用することができる。
【００８４】
したがって、上記に述べた実施形態は、例として引用したものであり、また本発明は、上文に具体的に示し説明したものに限定されないことが理解されよう。むしろ本発明の範囲は、上述の様々な特徴の組み合わせ及びその一部の組み合わせの両方、並びに上述の説明を読むことで当業者により想到されるであろう、また従来技術において開示されていないそれらの変形及び修正を含むものである。参照により本特許出願に援用される文献は、これらの援用文献においていずれかの用語が本明細書において明示的又は暗示的になされた定義と矛盾して定義されている場合には、本明細書における定義のみを考慮するものとする点を除き、本出願の一部とみなすものとする。
【００８５】
〔実施の態様〕
（１）  患者身体内へ挿入するための挿入チューブと、
前記挿入チューブの遠位端に取り付けられた少なくともアームと、
前記アームに結合され、内部組織に接触するように構成された少なくとも基準電極と、
前記アームに結合され、解剖学的信号を検出するように前記基準電極を取り囲む複数の電極であって、前記解剖学的信号は、前記基準電極に対して相対的に測定された場合に、前記患者身体内の前記解剖学的信号の大きさ及び方向を示す、複数の電極と、を備える医療用プローブ。
（２）  前記電極は前記基準電極の周りに不均一な形状で配置されている、実施態様１に記載のプローブ。
（３）  前記解剖学的信号は、心電図（ＥＣＧ）信号を含む、実施態様１に記載のプローブ。
（４）  前記電極のうちの１つ以上に電気的に接続され、前記電気信号を前記患者身体の外部にあるシステムに伝達するように構成されている、電気導体を備える、実施態様１に記載のプローブ。
（５）  前記電極のうちの１つ以上に電気的に接続され、前記電気信号を前記患者身体の外部にあるシステムに伝達するように構成されている、１つ以上の無線通信デバイスを備える、実施態様１に記載のプローブ。
【００８６】
（６）  前記アームは、フレキシブルプリント回路基板（ＰＣＢ）を含む、実施態様１に記載のプローブ。
（７）  前記電気信号は、前記解剖学的信号の方向を示す、実施態様１に記載のプローブ。
（８）  前記電気信号は、前記解剖学的信号の伝搬速度を示す、実施態様１に記載のプローブ。
（９）  方法であって、
医療用プローブから電気信号を受信することであって、前記医療用プローブは、（ａ）挿入チューブの遠位端に取り付けられた少なくともアームと、（ｂ）前記アームに結合された少なくとも基準電極と、（ｃ）前記アームに結合され、前記基準電極を取り囲んで、身体組織内の解剖学的信号を検出する複数の電極とを含み、
前記電気信号は、前記基準電極に対して相対的に測定された場合に、患者身体の前記身体組織内の解剖学的信号の方向を示す、ことと、
前記電気信号に基づいて、前記解剖学的信号の方向及び伝搬速度のうちの少なくとも１つを推定することと、を含む方法。
（１０）  前記電極は前記基準電極の周りに不均一な形状で配置されている、実施態様９に記載の方法。
【００８７】
（１１）  前記解剖学的信号は、心電図（ＥＣＧ）信号を含む、実施態様９に記載の方法。
（１２）  医療用プローブを製造する方法であって、
挿入チューブの遠位端に少なくともアームを取り付けることと、
前記アームに少なくとも基準電極を結合させることと、
不均一な形状に配置され、かつ前記基準電極を取り囲む複数の電極を前記アームに結合させることと、を含む、方法。
（１３）  前記基準電極及び前記複数の電極を、電気導体を介して前記患者身体の外部にあるシステムに接続することを含む、実施態様１２に記載の方法。
（１４）  前記基準電極及び前記複数の電極を、前記アームに結合された１つ以上の無線通信デバイスに接続することを含む、実施態様１２に記載の方法。
（１５）  前記アームは、フレキシブルプリント回路基板（ＰＣＢ）を含む、実施態様１２に記載の方法。
【００８８】
（１６）  基準電極と、
医療用プローブであって、
患者身体内へ挿入するための挿入チューブ、
前記挿入チューブの遠位端に取り付けられた少なくともアーム、及び、
前記アームに結合され、前記患者身体内の電気信号を検出するように構成されている複数の電極であって、前記電気信号は、前記基準電極に対して相対的に測定された場合に、前記患者身体内の解剖学的信号を示す、複数の電極、を備える医療用プローブと、
前記電気信号に基づいて、前記解剖学的信号の方向及び伝搬速度のうちの少なくとも１つを推定するように構成されたプロセッサと、
を備える、システム。
（１７）  前記基準電極は、前記患者身体の皮膚に結合された身体表面電極を備える、実施態様１６に記載のシステム。
（１８）  前記基準電極は、基準信号を有する仮想電極を備え、前記プロセッサは、前記患者身体の皮膚に結合された少なくとも２つの身体表面電極から受信された追加電気信号に基づいて、前記基準信号を計算するように構成されている、実施態様１６に記載のシステム。
（１９）  前記プロセッサは、前記身体表面電極のうちの少なくとも２つの前記追加電気信号を平均化することによって、前記基準信号を計算するように構成されている、実施態様１８に記載のシステム。
（２０）  前記基準電極は前記アームに結合され、前記複数の電極は前記基準電極を取り囲んでいる、実施態様１６に記載のシステム。
【図１】
2020108773.tif 000003
【図２】
2020108773.tif 000004
【図３Ａ】
2020108773.tif 000005
【図３Ｂ】
2020108773.tif 000006
【図３Ｃ】
2020108773.tif 000007
【外国語明細書】
2020108773000001.pdf